【手続補正書】
【提出日】平成20年4月7日(2008.4.7)
【手続補正１】
【補正対象書類名】明細書
【補正対象項目名】特許請求の範囲
【補正方法】変更
【補正の内容】
【特許請求の範囲】
【請求項１】  球が打ち込まれる遊技領域と、その遊技領域に設けられる入賞口と、前記遊技領域に設けられるアウト口と、そのアウト口および入賞口を通過した球を所定箇所に収集する球収集部材とを備えた遊技機において、
前記遊技領域が設けられる遊技盤と、
その遊技盤が取り付けられる前面枠と、
その前面枠の前面側に設けられる上皿および下皿と、
その上皿または下皿へ球を払い出す払出装置と、
その払出装置が払い出す球を貯留しておく球タンクとを備え、
前記球収集部材は、
前記払出装置により払い出された球を前記上皿へ移送する上皿経路と、
前記払出装置により払い出された球を前記下皿へ移送する下皿経路と、
前記球タンクに貯留された球を排出する球抜き経路とを備え、
これら上皿経路、下皿経路および球抜き経路側の面は開放して形成されるとともに、その各経路の反対側は平坦面に形成されていることを特徴とする遊技機。
【請求項２】  前記上皿経路の前記遊技盤または前面枠方向への延出幅は、前記球収集部材が遊技機に装着された場合において、球の外径の略２倍に形成されていることを特徴とする請求項１記載の遊技機。
【請求項３】  前記下皿経路の前記遊技盤または前面枠方向への延出幅は、前記球収集部材が遊技機に装着された場合において、球の外径の略２倍に形成されていることを特徴とする請求項１記載の遊技機。
【請求項４】  前記球抜き経路の前記遊技盤または前面枠方向への延出幅は、前記球収集部材が遊技機に装着された場合において、球の外径の略２倍に形成されていることを特徴とする請求項１記載の遊技機。
【請求項５】  前記上皿経路、下皿経路および球抜き経路の各延出幅は、すべて同等の大きさに形成されていることを特徴とする請求項２から４のいずれかに記載の遊技機。
【手続補正２】
【補正対象書類名】明細書
【補正対象項目名】０００８
【補正方法】変更
【補正の内容】
【０００８】
【課題を解決するための手段】  この目的を達成するために請求項１記載の遊技機は、球が打ち込まれる遊技領域と、その遊技領域に設けられる入賞口と、その入賞口と連通されると共にその入賞口へ入賞した球が通過する入賞経路と、前記遊技領域に設けられるアウト口と、そのアウト口および入賞口を通過した球を所定箇所に収集する球収集部材とを備えた遊技機において、前記遊技領域が設けられる遊技盤と、その遊技盤が取り付けられる前面枠と、その前面枠の前面側に設けられる上皿および下皿と、その上皿または下皿へ球を払い出す払出装置と、その払出装置が払い出す球を貯留しておく球タンクとを備え、前記球収集部材は、前記払出装置により払い出された球を前記上皿へ移送する上皿経路と、前記払出装置により払い出された球を前記下皿へ移送する下皿経路と、前記球タンクに貯留された球を排出する球抜き経路とを備え、これら上皿経路、下皿経路および球抜き経路側の面は開放して形成されるとともに、その各経路の反対側は平坦面に形成されている。
【手続補正３】
【補正対象書類名】明細書
【補正対象項目名】０００９
【補正方法】変更
【補正の内容】
【０００９】
請求項２記載の遊技機は、請求項１記載の遊技機において、前記上皿経路の前記遊技盤または前面枠方向への延出幅は、前記球収集部材が遊技機に装着された場合において、球の外径の略２倍に形成されている。
請求項３記載の遊技機は、請求項１記載の遊技機において、前記下皿経路の前記遊技盤または前面枠方向への延出幅は、前記球収集部材が遊技機に装着された場合において、球の外径の略２倍に形成されている。
請求項４記載の遊技機は、請求項１記載の遊技機において、前記球抜き経路の前記遊技盤または前面枠方向への延出幅は、前記球収集部材が遊技機に装着された場合において、球の外径の略２倍に形成されている。
請求項５記載の遊技機は、請求項２から４のいずれかに記載の遊技機において、前記上皿経路、下皿経路および球抜き経路の各延出幅は、すべて同等の大きさに形成されている。
【手続補正４】
【補正対象書類名】明細書
【補正対象項目名】０１５１
【補正方法】変更
【補正の内容】
【０１５１】
【発明の効果】  本発明の遊技機によれば、払出装置により払い出された球を上皿へ移送する上皿経路、払出装置により払い出された球を下皿へ移送する下皿経路、及び、球タンクに貯留された球を排出する球抜き経路側の面は開放して形成され、その各経路の反対側は平坦面に形成されている。
ここで、上皿経路および下皿経路は、払出装置により払い出された球をそれぞれ上皿または下皿へ確実に移送する必要があり、また、球抜き経路は、球タンクに貯留された球を所定の箇所へ確実に移送する必要があるので、その区間において閉じた経路となっていなければならない。これら各経路は、一般に合成樹脂等により型成型されるが、一つの成形金型により閉じた径路を形成することは困難である。その為、従来は、複数の部品を型成形し、これらの部品を重畳し組み立てることにより、閉じた経路を形成していた。よって、部品点数の増加に伴い、金型の製造コストが増加してしまい、また、複数の部品から構成されるため構造が複雑になると共に大型化してしまうので、その球収集部材が取り付けられたパチンコ機の前後厚さが大きくなってしまう。
しかし、本発明の遊技機では、これら上皿経路、下皿経路および球抜き経路は、その球収集部材の開放面側を遊技盤または前面枠の裏面側へ当接させることにより閉じた経路が形成されるように構成されているので、一つの成型金型により球収集部材を成型することができ、その結果、製造コストを低減することができるという効果がある。また、球収集部材は、複数の部品を重畳することなく一つの構成部品から構成されているので、その球収集部材を小型化することができ、パチンコ機の前後厚さを薄くすることができるという効果がある。また、収集経路と上皿経路、下皿経路および球抜き経路とを別々に製造する必要がないので、その分、遊技機全体としての製造コストを低減することができ、且つ、遊技機の組み立て作業を簡素化することができるという効果がある。そして、球収集部材は、各経路の反対側が平坦面に形成されているので、基板ボックス等を容易に配置することができるという効果がある。
【手続補正５】
【補正対象書類名】明細書
【補正対象項目名】０１５２
【補正方法】変更
【補正の内容】
【０１５２】
また、払出装置により払い出された球は、上皿経路および下皿経路を通過してそれぞれ上皿および下皿へ移送される。また、球タンクに貯留された球は、球抜き経路を通過して所定の箇所へ排出される。これら上皿経路、下皿経路および球抜き経路の遊技盤または前面枠方向への延出幅は、球収集部材が遊技機に装着された場合において、球の外径の略２倍に形成されている。よって、球収集部材の前後厚さが厚くなることを防止しつつ、払出装置により払い出された球を上皿経路および下皿経路内で球詰まりさせることなくそれぞれ上皿および下皿へ移送させることができ、また、球タンク内に貯留された球を球抜き経路内で球詰まりさせることなく所定箇所へ排出することができるという効果がある。
【手続補正６】
【補正対象書類名】明細書
【補正対象項目名】０１５３
【補正方法】変更
【補正の内容】
【０１５３】
また、各経路は、すべて同等の延出幅で球収集部材に設けられている。よって、球収集部材の反経路側の全面を平坦面に形成することができるので、制御回路基板を収納する各種の基板ボックスや払出装置等を容易に配置することができるという効果がある。更に、球収集部材の前後厚さを薄く形成することができるので、基板ボックス等を重層状態で球収集部材の後端面へ配置した場合にも、その基板ボックス等が後方へ大きく突出してしまい、パチンコ機の前後方向寸法が厚くなってしまうことを防止することができるという効果がある。
【手続補正７】
【補正対象書類名】明細書
【補正対象項目名】符号の説明
【補正方法】変更
【補正の内容】
【符号の説明】
１                              パチンコ機（遊技機）
２                              前面枠
４                              遊技盤
７                              遊技領域
８ａ                            普通入賞口（入賞口）
１２                            図柄作動口（入賞口）
１３ｂ                          開口（入賞口）
１４                            アウト口
１６                            上皿
１７                            下皿
３５                            球タンク
３８                            賞球払出装置（払出装置）
３９                            貸球払出装置（払出装置）
６１ａ〜６１ｅ                  通路（入賞経路）
７１                            裏面部材（収集経路の反遊技領域側）
７０                            球通路部材（球収集部材）
７２                            球収集部（球収集部材の一部）
７３，７３ｂ，７４              球受け板（収集経路の一部）
７３ａ，７３ｃ，７４ａ          縦壁板（収集経路の一部）
７５                            収集通路（収集経路の一部）
７５ａ                          送出口（収集経路の一部）
７５ｂ，７５ｃ                  側壁板（収集経路の一部）
７６                            上皿導出通路（上皿経路）
７７                            下皿導出通路（下皿経路）
７８                            球抜き通路（球抜き経路）
７９                            収集球排出口（収集経路の一部）